(57)【要約】【課題】マニュアル等で確認することなく、装置調整手段による調整を簡単に行うことのできる画像表示装置を提供すること。【解決手段】  画像信号Ｓ１、Ｓ２が入力される画像入力手段１０と、画像信号Ｓ１、Ｓ２に基づいて光学像を形成する画像表示手段３０と、装置内部の状態を調整する装置調整手段４０とを備えた画像表示装置１には、装置調整手段４０の操作を支援する調整操作支援手段６１が設けられている。調整操作支援手段６１が設けられているので、ユーザは調整操作支援手段６１により表示される調整操作支援情報を確認しながら、簡単に画像表示装置１の調整を行うことができる。【選択図】図１
2010044396.tif 000002
【特許請求の範囲】
【請求項１】
画像信号が入力される画像入力手段と、この画像入力手段からの入力信号に基づいて光学像を形成する画像表示手段と、装置内部の状態を調整する装置調整手段とを備えた画像表示装置であって、
前記装置調整手段の操作を支援する調整操作支援手段が設けられ、
この調整操作支援手段は、その調整操作支援情報を前記画像表示手段により表示するように構成され、
この画像表示手段により表示される前記調整操作支援情報は、当該画像表示装置および／または当該画像表示装置を制御するリモートコントローラに設けられる切替スイッチにより表示切替可能とされていることを特徴とする画像表示装置。
【請求項２】
請求項１に記載の画像表示装置において、
前記調整操作支援手段は、前記画像表示手段により表示された調整操作支援情報に基づいて、前記装置調整手段を実行可能に構成されていることを特徴とする画像表示装置。
【請求項３】
請求項１または請求項２に記載の画像表示装置において、
前記調整操作支援情報は、複数の支援情報項目を含み構成され、
この複数の支援情報項目のうち、表示不要と判別した支援情報項目の表示を規制する情報表示判別手段を備えていることを特徴とする画像表示装置。
【請求項４】
請求項３に記載の画像表示装置において、
前記調整操作支援手段は、前記複数の支援情報項目を階層構造で表示することを特徴とする画像表示装置。
【請求項５】
請求項１〜請求項４のいずれかに記載の画像表示装置において、
前記調整操作支援手段は、前記画像表示手段に装置内部の状態を表示可能に構成されていることを特徴とする画像表示装置。
【請求項６】
画像信号が入力される画像入力手段と、この画像入力手段からの入力信号に基づいて光学像を形成する画像表示手段と、装置内部の状態を調整する装置調整手段とを備えた画像表示装置の調整方法であって、
前記装置調整手段により調整する調整対象を分類した項目情報を提供する項目情報提供ステップと、
この項目情報提供ステップで提供された項目を選択する項目選択ステップと、
この項目選択ステップで選択された項目に係る調整対象に現れ得る現象情報を提供する現象情報提供ステップと、
この現象情報提供ステップで表示された現象を選択する現象選択ステップと、
この現象選択ステップで選択された現象に基づいて、前記装置調整手段による調整操作を支援する調整操作支援情報を提供する支援情報提供ステップとを備え、
前記項目情報、前記現象情報、および前記調整操作支援情報は、前記画像表示手段による表示画面上に提供され、
前記項目選択ステップおよび前記現象選択ステップは、前記画像表示装置および／または前記画像表示装置を制御するリモートコントローラに設けられる操作スイッチにより実行可能とされ、
前記支援情報提供ステップで提供された調整操作支援情報に基づいて、前記画像表示装置の調整を行うことを特徴とする画像表示装置の調整方法。
【請求項７】
請求項６に記載の画像表示装置の調整方法において、
前記支援情報提供ステップで提供された調整操作支援情報に基づいて、前記表示画面上で前記装置調整手段を実行する調整実行ステップを備えていることを特徴とする画像表示装置の調整方法。
【請求項８】
請求項６又は請求項７に記載の画像表示装置の調整方法において、
前記項目情報提供ステップおよび前記現象情報提供ステップは、前記画像入力手段に入力される画像信号等の装置内部の情報を取得するとともに、提供する項目情報および現象情報のうち、表示不要と判別した情報を規制することを特徴とする画像表示装置の調整方法。
【請求項９】
請求項８に記載の画像表示装置の調整方法において、
前記現象情報提供ステップは、取得した装置内部の情報を前記現象情報とともに、表示可能に構成されていることを特徴とする画像表示装置の調整方法。
【発明の詳細な説明】
【技術分野】
【０００１】
本発明は、画像信号が入力される画像入力手段と、この画像入力手段からの入力信号に基づいて光学像を形成する画像表示手段と、装置内部の状態を調整する装置調整手段とを備えた画像表示装置、およびその調整方法に関する。
【背景技術】
【０００２】
従来より、画像信号が入力される画像入力手段と、この画像入力手段からの入力信号に基づいて光学像を形成する画像表示手段と、装置内部の状態を調整する装置調整手段とを備えた画像表示装置が利用されている。このような画像表示装置としては、例えば、光源から出射された光束を光学的に処理して画像情報に応じて光学像を形成し、投写レンズにより投写面上に拡大投写する投写型表示装置が知られている。
【０００３】
投写型表示装置の画像入力手段は、コンピュータ、ビデオ等の種々の外部機器を接続することができるように構成されている。投写型表示装置にこれらコンピュータ等を接続することにより、コンピュータ等からの画像信号を投写面等の大画面に表示することができるので、コンピュータによるマルチメディアプレゼンテーションシステムを効率的に構築することができる。
画像表示装置には種々のコンピュータ等が接続されるため、接続されるコンピュータ等からの画像信号、音声信号等に応じて、画像表示手段等の装置内部の状態を調整する必要がある。このため、画像表示装置には、通常、画像表示手段による表示画面上で、画像調整、出力音声調整等、装置内部の状態を調整する装置調整手段が設けられている。
【発明の概要】
【発明が解決しようとする課題】
【０００４】
しかしながら、このような従来の画像表示装置には、次のような問題がある。すなわち、装置調整手段による調整項目には、例えば、リフレッシュレート、トラッキング、水平同期、垂直同期等の専門用語が用いられ、一般のユーザにとっては理解しにくいものである。従って、一般のユーザがこれらの調整を行う場合、マニュアル等を参照しながら調整しなければならず、調整作業が煩雑になってしまうという問題がある。
また、画像表示装置の表示画面に不具合が生じた場合、どの調整項目を調整すればよいのか、一般ユーザには判らない場合もあり、最適な状態の画面表示の実現が困難であるという問題がある。
【０００５】
本発明の目的は、画像信号が入力される画像入力手段と、この画像入力手段からの入力信号に基づいて光学像を形成する画像表示手段と、装置内部の状態を調整する装置調整手段とを備えた画像表示装置において、装置調整手段による調整を簡単に行うことのできる画像表示装置、および画像表示装置の調整方法を提供することにある。
【課題を解決するための手段】
【０００６】
前記目的を達成するために、本発明に係る画像表示装置は、画像信号が入力される画像入力手段と、この画像入力手段からの入力信号に基づいて光学像を形成する画像表示手段と、装置内部の状態を調整する装置調整手段とを備えた画像表示装置であって、前記装置調整手段の操作を支援する調整操作支援手段が設けられ、この調整操作支援手段は、その調整操作支援情報を前記画像表示手段により表示するように構成され、この画像表示手段により表示される前記調整操作支援情報は、当該画像表示装置および／または当該画像表示装置を制御するリモートコントローラに設けられる切替スイッチにより表示切替可能とされていることを特徴とする。
【０００７】
ここで、調整操作支援手段とは、装置調整手段による調整に際して当該調整に関する情報を提供するヘルプ機能を有するものをいい、例えば、画像表示装置に生じた現象に応じて、なにを調整すればよいかという調整操作支援情報を画像表示手段により表示画面として提供するように構成することができる。
このような本発明によれば、調整操作支援手段を備えているので、ユーザは、この調整操作支援手段による調整操作支援情報に基づいて、マニュアル等を参照することなく、装置調整手段による調整を簡単に行うことができる。
【０００８】
以上において、上述した調整操作支援手段は、その調整操作支援情報を画像表示手段により表示するように構成され、この画像表示手段により表示される調整操作支援情報は、画像表示装置および／または当該画像表示装置を制御するリモートコントローラに設けられる切替スイッチにより表示切替可能とされているのが好ましい。
すなわち、調整操作支援情報が切替スイッチにより表示切替可能となっているので、画像表示手段により画像信号等による画像が表示されていても、切替スイッチによって調整操作支援情報を画像表示手段によりいつでも表示することが可能となり、調整操作支援情報の呼び出しの操作性が向上する。特に、リモートコントローラに切替スイッチが設けられていれば、プレゼンテーションにおける発表者が直接、調整操作支援情報を呼び出して調整できるので、発表者の発表内容に応じた適切な画面表示の調整を行うことができる。
【０００９】
また、上述した調整操作支援手段は、画像表示手段により表示された調整操作支援情報に基づいて、装置調整手段を実行可能に構成されているのが好ましい。
すなわち、調整操作支援手段が装置調整手段を実行可能に構成されているので、ユーザが取得した調整操作支援情報を参照しながら、直接調整作業を行うことができ、画像表示装置の調整作業の一層の簡単化が図られる。
【００１０】
さらに、上述した画像表示装置は、調整操作支援情報が複数の支援情報項目を含み構成され、この複数の支援情報項目のうち、表示不要と判別した支援情報項目の表示を規制する情報表示判別手段を備えているのが好ましい。
すなわち、情報表示判別手段を備えているので、表示不要の支援情報項目を規制して必要最小限の支援情報項目のみを表示することにより、適切な調整操作支援情報を確実にユーザに提供することができる。
【００１１】
そして、上述した調整操作支援手段は、複数の支援情報項目を階層構造で表示するのが好ましい。
ここで、「階層構造で表示する」とは、例えば、支援情報項目のうち、画像に関する項目、音声に関する項目等の調整対象に係る項目を大分類項目として表示し、選択された調整対象に現れ得る現象に係る項目を中分類項目として表示し、現れた現象のさらに詳細な状態に係る項目を小分類項目として表示するような場合等をいう。
すなわち、このように調整操作支援手段による支援情報項目が階層構造で表示されるので、画像表示装置に生じた現象に対して適切な調整支援情報を確実に得ることができ、操作性が一層向上する。また、支援情報項目の表示を必要最小限とすることができ、画像信号に応じた背景画像の視認性が向上する。特に、コントラスト、色合い等の画質に関する調整を行う場合、背景画像の変化を確認しながら調整作業を行うことができる。
【００１２】
また、上述した調整操作支援手段は、画像表示手段に装置内部の状態を表示可能に構成されているのが好ましい。
ここで、「装置内部の状態」とは、例えば、入力されている画像信号の信号モードや、上述した投写型表示装置であれば、光源の使用時間、点灯回数、光源ランプの残り寿命時間、等をいう。
すなわち、調整操作支援手段が装置内部の状態を表示可能に構成されているので、装置内部の状態を予め確認することができ、ユーザが事前に調整の必要な部分を把握し、調整作業の迅速化が図られる。
【００１３】
また、本発明に係る画像表示装置の調整方法は、画像信号が入力される画像入力手段と、この画像入力手段からの入力信号に基づいて光学像を形成する画像表示手段と、装置内部の状態を調整する装置調整手段とを備えた画像表示装置の調整方法であって、前記装置調整手段により調整する調整対象を分類した項目情報を提供する項目情報提供ステップと、この項目情報提供ステップで提供された項目を選択する項目選択ステップと、この項目選択ステップで選択された項目に係る調整対象に現れ得る現象情報を提供する現象情報提供ステップと、この現象情報提供ステップで表示された現象を選択する現象選択ステップと、この現象選択ステップで選択された現象に基づいて、前記装置調整手段による調整操作を支援する調整操作支援情報を提供する支援情報提供ステップとを備え、前記項目情報、前記現象情報、および前記調整操作支援情報は、前記画像表示手段による表示画面上に提供され、前記項目選択ステップおよび前記現象選択ステップは、前記画像表示装置および／または前記画像表示装置を制御するリモートコントローラに設けられる操作スイッチにより実行可能とされ、前記支援情報提供ステップで提供された調整操作支援情報に基づいて、前記画像表示装置の調整を行うことを特徴とする。
このような本発明によれば、これらの各ステップに従って必要な調整操作支援情報を得られるので、ユーザは、画像表示装置を調整する際にマニュアル等を参照することなく、装置調整手段による適切な調整を簡単に行うことができる。
【００１４】
また、項目情報提供ステップで調整対象を分類した項目として提供し、選択された調整対象に現れ得る現象を、現象情報提供ステップで提供し、選択された現象に係る調整支援情報を支援情報提供ステップで提供するように構成されているので、画像表示装置に生じた現象に対して適切な支援情報を確実に得ることができ、操作性が一層向上する。
さらに、各情報が画像表示手段による表示画面上に表示される場合、これらの情報を表示画面上で必要最小限とすることができ、画像信号に応じた背景画像の視認性が向上する。特に、コントラスト、色合い等の画質に関する調整を行う場合、背景画像の変化を確認しながら調整作業を行うことができる。
【００１５】
そして、本発明に係る画像表示装置の調整方法において、上述の画像表示装置に係る発明と同様の限定を加えることができ、このような限定を加えれば、上述した各作用および効果と同様の作用および効果が得られる。
【図面の簡単な説明】
【００１６】
【図１】本発明の実施形態に係る画像表示装置の構造を表すブロック図である。
【図２】前記実施形態における画像表示手段の光学系の構造を表す模式図である。
【図３】前記実施形態における操作スイッチの構成を表す平面図である。
【図４】前記実施形態における調整操作支援手段の動作を説明するためのフローチャートである。
【図５】前記実施形態における調整操作支援手段による支援情報項目（大分類）を表示した画面を表す正面図である。
【図６】前記実施形態における調整操作支援手段による支援情報項目（中分類）を表示した画面を表す正面図である。
【図７】前記実施形態における調整操作支援手段による支援情報項目（小分類）を表示した画面を表す正面図である。
【図８】前記実施形態における調整操作支援手段による調整操作支援情報を表示した画面を表す正面図である。
【図９】前記実施形態における調整操作支援手段の構造を説明するための表である。
【図１０】前記実施形態における調整操作支援手段の構造を説明するための表である。
【図１１】前記実施形態における調整操作支援手段の構造を説明するための表である。
【図１２】前記実施形態における調整操作支援手段の構造を説明するための表である。
【図１３】前記実施形態における調整操作支援手段の構造を説明するための表である。
【発明を実施するための形態】
【００１７】
発明を実施するための最良の形態
以下、本発明の実施の一形態を図面に基づいて説明する。
（１）画像表示装置１の全体構造
図１には、本発明の実施形態に係る画像表示装置の構造を表すブロック図が示されている。この画像表示装置１は、画像入力手段１０、信号処理手段２０、画像表示手段３０、装置調整手段４０、スピーカ５０、ＣＰＵ６０、記憶手段７０、および操作スイッチ８０を含んで構成される。
画像入力手段１０は、コンピュータ、ビデオ機器等の外部機器が接続される部分であり、コンピュータからのＲＧＢ信号Ｓ１が入力されるＲＧＢ入力端子１１と、ビデオ機器からのコンポジットビデオ信号Ｓ２が入力されるビデオ入力端子１２と、コンピュータおよびビデオ機器からの音声信号Ｓ３が入力される音声入力端子１３とを備えている。
【００１８】
信号処理手段２０は、前記画像入力手段１０から入力された信号を増幅変換処理する部分であり、ビデオアンプ２１、Ａ／Ｄコンバータ２２、ビデオデコーダ２３、およびオーディオアンプ２４を備えている。ビデオアンプ２１は、ＲＧＢ入力端子１１から入力されたＲＧＢ信号Ｓ１を増幅する部分であり、その出力は、Ａ／Ｄコンバータ２２によりアナログ−デジタル変換される。ビデオデコーダ２３は、ビデオ入力端子１２から入力されたコンポジットビデオ信号Ｓ２をＲＧＢ信号に変換し、デジタル化して出力する部分である。オーディオアンプ２４は、音声入力端子１３から入力された音声信号Ｓ３を増幅処理する部分である。
【００１９】
装置調整手段４０は、画像入力手段１０および信号処理手段２０を介して入力される画像信号Ｓ１、Ｓ２および音声信号Ｓ３の調整を行う部分であり、画像調整手段４１および音声調整手段４２を備えている。画像調整手段４１は、入力されるＲＧＢ信号Ｓ１またはコンポジットビデオ信号Ｓ２により、画像表示手段３０により適切な画像を表示できるように調整する部分である。本例の場合、この画像調整手段４１は、ＲＧＢ信号Ｓ１であれば、同期、トラッキング、リフレッシュレート、カラー、表示位置、コントラスト、明るさ等を調整でき、コンポジットビデオ信号Ｓ２であれば、ＮＴＳＣ、ＰＡＬ等の信号方式、色合い、色の濃さ、コントラスト、明るさ等を調整できるように構成されている。
【００２０】
音声調整手段４２は、入力される音声信号Ｓ３により、スピーカ５０から適切な音声を出力できるように調整する部分であり、主としてスピーカ５０からの音量の調整が可能となっている。
ＣＰＵ６０は、画像表示装置の内部状態に関する情報を取得し、取得した情報に基づいて、上述した装置調整手段４０、画像表示手段３０に制御信号ＳＳ１、ＳＳ２を出力する部分であり、調整操作支援手段６１および情報表示判別手段６２を備えている。調整操作支援手段６１は、調整操作支援情報をメニュー画面として表示させるように、画像表示手段３０に制御信号ＳＳ２を出力するとともに、操作スイッチ８０により選択された調整項目に基づいて、画像調整手段４１および音声調整手段４２に制御信号ＳＳ１を出力する。情報表示判別手段６２は、調整操作支援手段６１により画像表示手段３０に表示させるべき支援情報項目を判別する部分である。
【００２１】
また、図１では図示を略したが、このＣＰＵ６０は、ランプ寿命比較手段および過熱判別手段を備えている。ランプ寿命比較手段は、光源ランプユニット８（後述）に担持される光源ランプの寿命時間、寿命点灯回数、交換限界時間、および交換限界点灯回数等のデータと、記憶手段７０を構成するＥ２ＰＲＯＭ７１に記憶された光源ランプ１８１の使用時間等のデータとを比較する。点灯回数のデータについても比較しても構わない。過熱判別手段は、装置内部の各所に設けられる温度センサ（図示略）を利用して、画像表示装置１の内部に過熱した部分があるか否かを判別する。
そして、光源ランプ１８１の使用時間等が寿命時間等を上回った場合、または装置内部が過熱していると判別された場合には、画像表示手段３０に光源ランプ１８１を強制的に消灯する旨の制御信号を出力するとともに、画像表示装置１の電源の投入状態を表すインジケータランプ（図示略）を点滅させる制御信号を出力するように構成されている。
【００２２】
さらに、画像表示装置１は、画像調整手段４１に入力された画像信号が、ＲＧＢ信号Ｓ１なのかコンポジットビデオ信号Ｓ２なのかを検出する信号モード検出手段６３を備えている。この信号モード検出手段６３により検出された画像信号の信号モードは、調整操作支援手段６１に出力され、調整操作支援情報とともに、画像表示手段３０上に表示される。さらに、検出された信号モードは、情報表示判別手段６２に出力され、調整操作支援手段６１により表示させる支援情報項目の判別の基準とされる。
【００２３】
記憶手段７０は、画像表示装置１の内部情報、プログラム等を記憶する部分であり、Ｅ２ＰＲＯＭ（Ｅｌｅｃｔｒｉｃ Ｅｒａｓｅｒｂｌｅ Ｐｒｏｇｒａｍｍａｂｌｅ Ｒｅａｄ Ｏｎｌｙ Ｍｅｍｏｒｙ）７１およびメモリ７２から構成されている。Ｅ２ＦＲＯＭ７１には、後述する光源ランプ１８１の点灯回数、使用時間、画像表示装置１の使用時間等の情報が記憶されている。メモリ７２も同様に画像表示装置１の電源を遮断しても記憶内容が失われない不揮発性のメモリである。このメモリ７２には、所定の言語で構成されるプログラムが記憶され、このプログラムがＣＰＵ６０に呼び出されることにより、ＣＰＵ６０に上述した調整操作支援手段６１および情報表示判別手段６２が構成される。
【００２４】
（２）画像表示手段３０の光学系の構造
画像表示手段３０は、光源ランプから出射された光束を、画像信号に応じて変調する光変調系９２５（後述）と、この光変調系９２５により変調された変調光束を投写面に拡大投写する形式の投写型のものであり、図２に示すように、光源ランプユニット８と、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する光変調系９２５と、変調後の各色光束を合成する色合成光学系としてのプリズムユニット９１０とを含んで構成されている。
【００２５】
光源ランプユニット８は、光源ランプ１８１と、光源ランプ１８１およびリフレクタ１８２から構成される光源装置を収納するランプガイド（図示略）とを備えている。このランプガイドには、光源ランプ１８１の出力、寿命時間、寿命点灯回数等のランプ情報が担持されている。この担持されたランプ情報に基づいて、光源ランプ１８１の使用時間の積算、寿命時間との比較等が行われる。
照明光学系９２３は、光源ランプ１８１から出射された光束Ｗの光軸１ａを装置前方向に折り曲げる反射ミラー９３１と、この反射ミラー９３１を挟んで配置される第１のレンズ板９２１および第２のレンズ板９２２とを備えている。第１のレンズ板９２１は、マトリクス状に配置された複数の矩形レンズを有しており、光源から出射された光束を複数の部分光束に分割し、各部分光束を第２のレンズ板９２２の近傍で集光させる。
【００２６】
第２のレンズ板９２２は、マトリクス状に配置された複数の矩形レンズを有しており、第１のレンズ板９２１から出射された各部分光束を光変調系９２５を構成するライトバルブ９２５Ｒ、９２５Ｇ、９２５Ｂ（後述）上に重畳させる機能を有している。
このように、本例の画像表示装置１では、照明光学系９２３により、液晶ライトバルブ９２５Ｒ、９２５Ｇ、９２５Ｂ上をほぼ均一な照度の光で照明することができるので、照度ムラのない投写画像を得ることができる。
【００２７】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
赤色光束Ｒはこの青緑反射ダイクロイックミラー９４１を通過して、後方の反射ミラー９４３で直角に反射されて、赤色光束Ｒの出射部９４４からプリズムユニット９１０の側に出射される。次に、青緑反射ダイクロイックミラー９４１において反射された青色、緑色光束Ｂ、Ｇのうち、緑反射ダイクロイックミラー９４２において、緑色光束Ｇのみが直角に反射されて、緑色光束Ｇの出射部９４５から色合成光学系の側に出射される。この緑反射ダイクロイックミラー９４２を通過した青色光束Ｂは、青色光束Ｂの出射部９４６から導光系９２７の側に出射される。本例では、照明光学系９２３の光束Ｗの出射部から、色分離光学系９２４における各色光束の出射部９４４、９４５、９４６までの距離が全て等しくなるように設定されている。
【００２８】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
このように平行化された赤色、緑色光束Ｒ、Ｇは、入射側偏光板９６０Ｒ、９６０Ｇを通って液晶ライトバルブ９２５Ｒ、９２５Ｇに入射して変調される。一方、青色光束Ｂは、導光系９２７を介して対応する液晶ライトバルブ９２５Ｂに導かれ、同様に変調が施される。
【００２９】
液晶ライトバルブ９２５Ｒ、９２５Ｇ、９２５Ｂは、ｐ−ｓｉ−ＴＦＴをスイッチング素子として用いたアクティブマトリクス方式の液晶パネルであり、図２では図示を略したが、各液晶ライトバルブ９２５Ｒ、９２５Ｇ、９２５Ｂの画素を駆動するために、データ側駆動ドライバおよび走査側駆動ドライバを備えている。
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９２５Ｂに入射して変調される。各色光束の光路長、すなわち、光源ランプ１８１から各液晶パネルまでの距離は青色光束Ｂが最も長くなり、したがって、この光束の光量損失が最も多くなる。しかし、導光系９２７を介在させることにより、光量損失を抑制できる。
【００３０】
そして、各液晶ライトバルブ９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズユニット６を介して所定の位置にある投写面１００上に拡大投写されるようになっている。
【００３１】
（３）操作スイッチ８０の構造
上述した投写型の画像表示装置１の各構成部材は、不図示の外装ケース内に収納され、この外装ケースの上面には、図３に示すように、装置内部の状態を調整するための操作スイッチ８０が設けられている。
操作スイッチ８０は、電源スイッチボタン８１、入力切替ボタン８２、メニューボタン８３、リサイズボタン８４、ＡＶ／ミュートボタン８５、トラッキング調整ボタン８６、同期調整ボタン８７、決定ボタン８８、ヘルプボタン８９、および音量調整ボタン９１から構成されている。
【００３２】
電源スイッチボタン８１は、画像表示装置１の電源投入および電源遮断を行うボタンであり、入力切替ボタン８２は、投写面１００に投写する投写画像を、ＲＧＢ信号Ｓ１からのものとするか、コンポジットビデオ信号Ｓ２からのものとするかを切り替えるボタンである。メニューボタン８３は、画像表示装置１の現在の設定がどのようになっているかを確認するボタンであり、画像信号Ｓ１、Ｓ２に基づく投写画像の投写中にこのメニューボタン８３を押すと、垂直、水平同期周波数、解像度、ランプ駆動時間等の画像表示装置１の現在の状態が表示される。
【００３３】
リサイズボタン８４は、投写面１００上に投写される投写画像の大きさを調整するボタンであり、ＡＶ／ミュートボタン８５は、投写画像表示中の操作により一定色のブランク画面やユーザーロゴマークを切替表示すると共にスピーカ５０からの音声出力を一時的に遮断するためのボタンである。トラッキング調整ボタン８６は、画像表示手段３０のトラッキング調整を行うためのボタンであり、＋方向調整ボタン８６１および−方向調整ボタン８６２から構成されている。同期調整ボタン８７は画像表示手段３０の水平同期調整を行うためのボタンであり、トラッキング調整ボタン８６と同様に、＋方向調整ボタン８７１および−方向調整ボタン８７２から構成されている。尚、トラッキング調整ボタン８６および同期調整ボタン８７は、後述する調整操作支援情報を表示するヘルプメニュー画面１０２の表示状態においては、カーソル移動キーとしての役割も有している。
【００３４】
決定ボタン８８は、トラッキング調整ボタン８６および同期調整ボタン８７で調整したトラッキング、水平同期により、投写画像を表示することを決定するボタンであり、そのボタン上には操作の容易のために、改行（Ｅｎｔｅｒ）マークが付されている。ヘルプボタン８９は、後述する投写画像１０１を背景としてヘルプメニュー画面１０２を切り替え表示する切替スイッチとしてのボタンであり、そのボタン上には、決定ボタン８８と同様に操作の容易のために、”？”マークが付されている。また、音量調整ボタン９１は、スピーカ５０から出力される音声の音量を調整するボタンである。
尚、図示を略したが、本例の画像表示装置１は、当該画像表示装置１を遠隔操作するためのリモートコントローラを備え、このリモートコントローラには、上述した操作スイッチ８０と略同様の機能を有する調整・切替ボタンが設けられているとともに、ユーザである発表者等が発表中、投写画像を部分的に拡大するために、Ｅ−ズーム用カスタムボタンが設けられている。
【００３５】
（４）調整操作支援手段６１の動作
次に、以上のような構成を有する投写型の画像表示装置１において、調整操作支援手段６１の動作について、図４のフローチャートおよび図５〜図８の表示画面を参照して説明する。尚、以下の説明は、画像表示装置１にコンピュータを接続し、ＲＧＢ信号Ｓ１が入力されて投写画像が表示された場合において、投写画像に乱れが生じたため、トラッキング調整を行うことを想定している。
(1)投写画像の表示中に操作スイッチ８０のヘルプボタン８９を押すと、項目情報提供ステップが実行される。すなわち、図５に示すように、投写画像１０１を背景としてヘルプメニュー画面１０２が表示され、画像表示装置１のどの部分に問題が生じたかを選択する大分類項目が表示される（図４におけるＡ１）。本例における具体的な大分類項目は、「映像に関する項目」、「音声に関する項目」、「インジケータが点滅」から構成されている。「映像に関する項目」は、画像信号Ｓ１、Ｓ２と画像表示手段３０とのマッチングに問題が生じた場合、支援情報を提供する項目である。「音声に関する項目」は、音声信号Ｓ３が入力されていても、スピーカ５０から適切な音声出力されない場合、支援情報を提供する項目である。「インジケータが点滅」は、画像表示装置１の電源を投入したにもかかわらず、光源ランプ１８１が点灯しないとき、または温度センサが過熱状態を感知したときに、インジケータランプが点滅している場合、支援情報を提供する項目である。
【００３６】
(2)前記ヘルプメニュー画面１０２の下部には、ヘルプメニュー画面１０２上における操作方法に関する情報が表示され、操作者は、投写画像１０１を見ながら、操作スイッチ同期調整ボタン８７の＋方向調整ボタン８７１および−方向調整ボタン８７２により、選択する大分類項目にカーソルを移動し、改行マークのついた決定ボタン８８を押すと、項目選択ステップが実行される（図４におけるＡ２）。尚、図５から判るように、操作スイッチ８０の「？」マークが付されたヘルプボタン８９を押すと、ヘルプメニュー表示画面１０２が表示された状態から、通常の画面に復帰する。
【００３７】
(3)決定ボタン８８により大分類項目を選択すると、現象情報提供ステップが実行される。すなわち、図６に示すように、選択した大分類項目に属する中分類項目がヘルプメニュー画面１０２上に表示される（図４におけるＡ３）。本例の場合、投写画像に乱れが生じているので、大分類項目で「映像に関する項目」を選択すると、図６に示すように、画像に関する中分類項目が表示される。そして、上述と同様の手順で「画像が乱れる」を選択、決定する（図４におけるＡ４）。尚、上記中分類項目に係るヘルプメニュー画面１０２が表示されている状態において、大分類項目に係るヘルプメニュー画面１０２（図５参照）に戻りたい場合、図６から判るように、メニューボタン８３を押せばよく、通常の画面に復帰する場合には、前記と同様にヘルプボタン８８を押せばよい。
【００３８】
(4)画像表示装置１の内部では、上述した情報表示判別手段６２が信号モード検出手段６３を介して入力される画像信号がＲＧＢ信号Ｓ１であることを認識し、調整操作支援手段６１がコンポジットビデオ信号Ｓ２に基づく小分類項目を表示することを規制する（図４におけるＡ５）。また、上述した中分類項目には小分類項目を有しない項目もあるので、その場合は、小分類項目の表示をスキップし、調整操作支援情報を表示する（図４における分岐処理Ａ６）。
(5)中分類項目が決定すると、図７に示すように、選択した中分類項目に属する小分類項目が表示される（図４におけるＡ７）。そして、上述と同様の手順で「画面に縦縞のノイズが現れる」を選択し、現象選択ステップを実行すると（図４におけるＡ８）、図８に示すように、この小分類項目に対応する調整操作支援情報がヘルプメニュー画面１０２上に表示される（図４におけるＡ９）。
【００３９】
(6)図８に示されるトラッキングに関する調整操作支援情報の表示において、ヘルプメニュー画面１０２上で画像調整手段４１を操作し、調整実行ステップを実行可能に構成されているが、調整操作支援情報によっては、ヘルプメニュー画面１０２上で調整できないものもある。従って、調整操作支援手段６１は、選択された支援情報項目が画面上で画像調整可能か否かを判断し（図４における分岐処理Ａ１０）、画像調整可能な場合にのみ画面上で画像調整への制御信号ＳＳ１を出力するように構成されている（図４における処理Ａ１１）。具体的には、調整実行ステップの実行に際しては、トラッキング調整ボタン８６の＋方向調整ボタン８６１および−方向調整ボタン８７２を操作することにより、図８のヘルプメニュー画面１０２中のトラッキングの数値を変更することができる。尚、図８に示されるトラッキング調整に係るヘルプメニュー画面１０２において、画面下部に示されるように、メニューボタン８３または決定ボタン８８を押すと、前段の小分類項目を表示したヘルプメニュー画面１０２（図７参照）に戻ることができ、ヘルプボタン８９を押すと、通常の画面に復帰することができる。
【００４０】
（５）調整操作支援手段６１および情報表示判別手段６２の具体的な構成
以上のような動作をする調整操作支援手段６１および情報表示判別手段６２は、ヘルプボタン８９を押すと、メモリ７２からＣＰＵ６０に呼び出されるプログラムであり、図４に示されるフローチャートを基本として構成される。
調整操作支援手段６１は、項目情報提供ステップ、現象情報提供ステップ、および調整支援情報提供ステップを実行するために、大分類項目、中分類項目、小分類項目等の支援情報項目の選択によって異なる調整操作支援情報を表示しなければならない。従って調整操作支援手段６１は、図９〜図１１に示すように、大分類項目、中分類項目、分岐条件、および小分類項目に応じて、分岐処理を行う階層構造のプログラムとして構成される。最終的にヘルプメニュー画面１０２に表示される調整操作支援情報の表示メッセージは、小分類項目の分岐パターンに応じて設定され、図９〜図１１の右端のメッセージ番号に応じて図１２および図１３に示されるメッセージ表示を行うように構成されている。さらに、表示されたメッセージに対応する調整がヘルプメニュー画面１０２上でできる場合、上述したように、操作スイッチ８０の各ボタンを操作することにより画像表示装置１の内部の状態を調整することができる。
【００４１】
また、上述した調整操作支援手段６１は、支援情報項目の選択によっては、Ｅ２ＰＲＯＭ７１から取得した光源ランプ１８１の使用時間、点灯回数や、信号モード検出手段６３によって検出された画像信号の信号モードを表示可能に構成されている。
情報表示判別手段６２は、調整操作支援手段６１に付随して設けられるプログラムであり、大分類項目〜小分類項目に至る支援情報項目において、信号モード検出手段６３、Ｅ２ＰＲＯＭ７１等により取得された装置内部の状態に関する情報から、表示不要な支援情報項目があると判断した場合、調整操作支援手段６１によるその表示を規制するように構成されている。本例の場合、図９〜図１１の支援情報項目のうち、次のような場合、情報表示規制手段６２が支援情報項目の表示を規制するように構成されている。
【００４２】
(1)画像表示装置１の電源投入時、上述したＣＰＵ６０のランプ寿命比較手段では光源ランプ１８１の使用時間と寿命時間との比較を行い、過熱判別手段では装置内部の過熱状態を判別している。これらが所定の閾値に達しておらず、このまま使用可能と判別された場合、情報表示判別手段６２は、大分類項目の「インジケータの点滅」という表示を規制する。
(2)上述と同様に、ランプ寿命比較手段により光源ランプの使用時間が交換限界時間に達していない場合、情報表示判別手段６２は、大分類項目「映像に関する項目」の中分類項目「色合いが暗い」および「映像が暗い」における「ランプを交換してください。あとｘｘｘｘ時間で自動的にランプが消灯します。」という調整操作支援情報の表示を規制する。
【００４３】
(3)画像信号が入力されている状態で信号モード検出手段６３がＲＧＢ信号Ｓ１またはコンポジットビデオ信号Ｓ２のいずれかであることを検出している場合、情報表示判別手段６２は、大分類項目「映像に関する項目」の中分類項目「『この信号は本プロジェクタでは受けられないタイプです』と表示される」の表示を規制する。同様に、信号モード検出手段６３が画像信号を検出している場合、情報表示判別手段６２は、大分類「映像に関する項目」の中分類項目「『映像信号が入力されていません』と表示される」の表示を規制する。
(4)同様に、音声信号Ｓ３がＣＰＵ６０により検出されている場合、情報表示判別手段６２は、大分類項目「音声に関する項目」の中分類項目「音が出ない」における「外部オーディオ機器の電源は入っていますか？」および「音量が小さい設定になっています。」という調整操作支援情報の表示を規制する。
【００４４】
（６）実施形態の効果
以上のような本実施形態によれば、次のような効果がある。
(1)すなわち、画像表示装置１が調整操作支援手段６１を備えているので、ユーザは、この調整操作支援手段６１による調整操作支援情報に基づいて、マニュアル等を参照することなく、装置調整手段４０による調整を簡単に行うことができる。特に、本例のような投写型の画像表示装置１は、学会発表等で多数の発表者により利用されることが多く、その効果は大きい。
(2)また、調整操作支援情報が切替スイッチとなるヘルプボタン８９により表示切替可能となっているので、画像表示手段３０に画像信号Ｓ１、Ｓ２等による投写画像１０１が表示されていても、調整操作支援情報を表示するヘルプメニュー画面１０２をいつでも表示することができ、調整操作支援情報の呼び出しの操作性が向上する。
【００４５】
(3)さらに、調整操作支援手段６１が調整実行ステップにより装置調整手段４０を表示画面上で実行可能に構成されているので、ユーザが取得した調整操作支援情報を参照しながら、直接調整作業を行うことができ、画像表示装置１の調整作業の一層の簡単化が図られる。
(4)そして、画像表示装置１が情報表示判別手段６２を備えているので、表示不要の支援情報項目を規制して必要最小限の支援情報項目のみを表示することにより、適切な調整操作支援情報を確実にユーザに提供することができる。
【００４６】
(5)また、調整操作支援手段６１が図９〜図１１に示される階層構造により構成され、項目情報提供ステップ、項目選択ステップ、現象情報提供ステップ、現象選択ステップ、および調整支援情報提供ステップを段階的に実行しているので、画像表示装置１に生じた現象に対して適切な調整支援情を確実に得ることができる。また、支援情報項目の表示を必要最小限とすることができ、画像信号Ｓ１、Ｓ２に応じた背景画像１０１の視認性が向上する。特に、コントラスト、色合い等の画質に関する調整を行う場合、背景画像１０１の変化を確認しながら調整作業を行うことができる。
(6)さらに、調整操作支援手段６１が、光源ランプ１８１の使用時間、入力される画像信号Ｓ１、Ｓ２の信号モード、信号方式等の装置内部の状態を表示可能に構成されているので、装置内部の状態を予め確認することができ、ユーザが事前に調整の必要な部分を把握し、調整作業の迅速化が図られる。
【００４７】
（７）実施形態の変形
本発明は、上述した実施形態に限定されるものではなく、次に示すような変形をも含むものである。
(1)前記実施形態の調整操作支援手段６１は、画像表示装置１の外装ケースに設けられる操作スイッチ８０を操作することにより動作していたが、本発明は、これに限られない。すなわち、画像表示装置１を遠隔操作するリモートコントローラにより、調整操作支援手段６１を動作させてもよい。
このようにリモートコントローラにより動作させることにより、プレゼンテーション等における発表者が調整操作支援情報を確認しながら直接調整できるので、発表者の発表内容に応じた適切な画面表示の調整を行うことができる。
(2)また、前記実施形態における調整操作支援手段６１は、図９〜図１１に示される支援情報項目の階層構造を、プログラム内部の分岐処理を利用して構成していたが、これに限られない。すなわち、調整操作支援手段６１は、図９〜図１１に示されるテーブル構造を有するデータベース型のプログラムとして構成してもよい。
【００４８】
(3)さらに、前記実施形態に係る画像表示装置１は、液晶ライトガイド９２５Ｒ、９２５Ｇ、９２５Ｂを変調素子としていたが、これに限らず、ＤＭＤ（Ｄｉｇｉｔａｌ Ｍｉｃｒｏｍｉｒｒｏｒ Ｄｅｖｉｃｅ：ＴＩ社の登録商標）等他の方式のものを変調素子とする画像表示装置に本発明を利用してもよい。
(4)そして、前記実施形態に係る画像表示装置１は投写型の画像表示装置であったが、これに限らず、ＣＲＴディスプレイ、ＬＣＤディスプレイ等、通常の画像表示装置に本発明を利用してもよい。
(5)その他、本発明の実施の際の具体的な構造、形状等は、本発明の目的を達
成できる範囲で他の構造等としてもよい。
【産業上の利用可能性】
【００４９】
産業上の利用可能性
以上のように、本発明に係る画像表示装置およびその調整方法によれば、調整操作支援情報に基づいて装置調整手段による調整を簡単に行うことができ、特に、光源から出射された光束を光学的に処理して画像情報に応じて光学像を形成し、投写レンズにより投写面上に拡大投写する投写型表示装置に用いるのに適している。
【符号の説明】
【００５０】
１  画像表示装置
１０  画像入力手段
３０  画像表示手段
４０  装置調整手段
６１  調整操作支援手段
６２情報表示判別手段
８９  切替スイッチ
Ｓ１、Ｓ２  画像信号
【図１】
2010044396.tif 000003
【図２】
2010044396.tif 000004
【図３】
2010044396.tif 000005
【図４】
2010044396.tif 000006
【図５】
2010044396.tif 000007
【図６】
2010044396.tif 000008
【図７】
2010044396.tif 000009
【図８】
2010044396.tif 000010
【図９】
2010044396.tif 000011
【図１０】
2010044396.tif 000012
【図１１】
2010044396.tif 000013
【図１２】
2010044396.tif 000014
【図１３】
2010044396.tif 000015
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
画像信号が入力される画像入力手段と、この画像入力手段からの入力信号に基づいて画像を表示する画像表示手段と、装置内部の状態を調整する装置調整手段とを備えた画像表示装置であって、
前記装置調整手段の操作の行い方となる調整操作支援情報を示す画像を前記画像表示手段に表示するための調整操作支援手段を備え、
前記調整操作支援情報は、当該画像表示装置および／または当該画像表示装置を制御するリモートコントローラに設けられる切替スイッチにより表示切替可能とされ、
前記調整操作支援手段は、
（ａ）前記装置内部の状態に係る現象情報を、前記画像表示手段による表示画面上に提供するステップと、
（ｂ）提供された前記現象情報に対して、前記切替スイッチを用いてユーザが選択した前記現象情報に係る現象に基づいて、前記装置調整手段による調整操作を支援する調整操作支援情報を前記画像表示手段による表示画面上に提供するステップと、
（ｃ）前記表示画面上に調整操作支援情報を提供するステップ（ｂ）において、前記調整操作支援情報に対応する調整が可能な場合は、前記装置調整手段を制御して、調整操作を実行可能とする調整操作支援情報を前記画像表示手段による表示画面上に提供するステップとを実行することを特徴とする画像表示装置。
【請求項２】
請求項１に記載の画像表示装置において、
前記調整操作支援手段は、前記画像表示手段に装置内部の状態を前記画像表示手段による表示画面上に提供可能に構成されていることを特徴とする画像表示装置。
【請求項３】
請求項１又は請求項２に記載の画像表示装置において、
前記画像入力手段に入力された入力信号の種類を判別するステップをさらに備え、
前記入力信号の種類に基づく現象情報を前記画像表示手段による表示画面上に提供することを特徴とする画像表示装置。
【請求項４】
請求項１乃至請求項３のいずれかに記載の画像表示装置において、
前記画像表示手段は、光源から出射された光束を前記入力信号に基づいて変調し、変調された変調光束を投写面に投写表示することを特徴とする画像表示装置。
【請求項５】
請求項４に記載の画像表示装置において、
前記光源の状態に関する情報を記憶するステップをさらに備え、
前記光源の状態に関する情報に基づく前記現象情報を示す画像を前記投写面上に投写表示することを特徴とする画像表示装置。
【請求項６】
請求項４又は請求項５に記載の画像表示装置において、
前記装置内部の過熱状態を判別する過熱判別ステップをさらに備え、
前記装置内部の過熱状態に基づく前記現象情報を示す画像を前記投写面上に投写表示することを特徴とする画像表示装置。
【請求項７】
画像信号が入力される画像入力手段と、この画像入力手段からの入力信号に基づいて画像を表示する画像表示手段と、装置内部の状態を調整する装置調整手段とを備えた画像表示装置の調整方法であって、
（ａ）前記装置内部の状態に係る現象情報を提供する現象情報提供ステップと、
（ｂ）前記現象情報提供ステップで提供された前記現象情報に対してユーザが選択した前記現象情報に係る現象に基づいて、前記装置調整手段による調整操作を支援する調整操作支援情報を提供する支援情報提供ステップと、
（ｃ）当該支援情報提供ステップにおいて、前記調整操作支援情報に対応する調整が可能な場合は、前記装置調整手段を制御して、調整操作を実行可能とする前記調整操作支援情報を提供するステップとを備え、
前記現象情報、および前記調整操作支援情報は、前記画像表示手段による表示画面上に提供され、
前記現象選択ステップは、前記画像表示装置および／または前記画像表示装置を制御するリモートコントローラに設けられる操作スイッチにより実行可能とされ、
前記支援情報提供ステップで提供された調整操作支援情報に基づいて、前記画像表示装置の調整を行うことを特徴とする画像表示装置の調整方法。
【請求項８】
請求項７に記載の画像表示装置の調整方法において、
前記現象情報提供ステップは、取得した装置内部の情報を前記現象情報とともに、提供可能に構成されていることを特徴とする画像表示装置の調整方法。